(57)【特許請求の範囲】
【請求項１】
電子媒体を収容するトレイを貼り付けた１枚の台紙を折り曲げて形成された表紙によりトレイの開放面を閉じる電子媒体収納用パッケージ構造であって、
前記表紙は台紙を折り返して重合、接着した２面の表紙形成面により形成されるとともに、
裏面側の表紙形成面からはトレイの側壁に沿う内部背表紙面と、トレイを貼り付けるトレイ貼り付け面とがコ字状に延設され、
かつ、表面側の表紙形成面からは前記内部背表紙面に沿う外部背表紙面と、トレイ貼り付け面に沿う裏表紙面が延設され、
前記内部背表紙面と外部背表紙面が接着されない電子媒体収納用パッケージ構造。
【請求項２】
前記トレイの開放面はカバー体により閉じられ、かつ、該カバー体は封緘されて開封契約書を兼ねる請求項１記載の電子媒体収納用パッケージ構造。
【請求項３】
無印刷の台紙に電子媒体の表題を印刷したブックカバーを裏表紙面と表紙とに係止して装着した請求項１または２記載の電子媒体収納用パッケージ構造。
【発明の詳細な説明】
【０００１】
【発明の属する技術分野】
本発明は、電子媒体収納用パッケージ構造に関するものである。
【０００２】
【従来の技術】
従来、ＣＤ−ＲＯＭ等の電子媒体のパッケージとしては、図４に示すように、図示しない電子媒体を収容するためのトレイ３を貼り付けた台紙１を折り曲げてトレイ３内の電子媒体を包み込むようにしたものが提案されている。台紙１は別体のものを張り合わせて形成すると、接着時の位置合わせ等が面倒で製造作業性が低下するために１枚ものが使用され、４面の大面積部５、５・・と２面の小面積部４、４とが折り目６を介して連続して形成される。
【０００３】
トレイ３は図４において左から２番目に位置する大面積部５に貼り付けられ、左側の小面積部４、および大面積部５をコ字形状に折り曲げて背表紙１２、およびトレイ３内の電子媒体２を覆う覆い部１１とされる。覆い部１１には開封契約内容が印刷され、図示しない封緘シールによりトレイ３に固定される。さらに、トレイ３から右側の小面積部４、および大面積部５は図４（ｂ）に示すように折り曲げられ、裏背表紙１２’、および覆い部１１をさらに覆う表紙８とされ、図４（ｂ）に示す状態を図示しない透明シート等でシュリンクパック等して流通経路に乗せられる。
【０００４】
しかし、上述した従来例においては、台紙１には予め電子媒体の表題、内容等を印刷しておく必要があるために、少量多品種の電子媒体のパッケージング容器としてはコスト高になるという欠点がある。
【０００５】
また、かかる欠点を解消するために、図５に示すように、ブック型のパッケージング容器が提案されている。この従来例は、５面の大面積部５、５・・と１面の小面積部４を有する台紙１とトレイ３からなり、トレイ３は図５において右端の大面積部５に貼り付けられる。トレイ３が貼り付けられる大面積部５の左側に位置する２カ所の大面積部５は交互に折り返されて裏表紙１３を構成し、さらに背表紙１２を折り曲げた後、トレイ３の開放面を塞ぐ表紙８が構成される。トレイ３の開放面に対応する表紙８には所定の剛性が要求されるために、２枚の大面積部５、５を重ねて接着することにより形成され、また、裏表紙１３を構成する２枚の大面積部５、５も相互に接着される。
【０００６】
電子媒体２の収納状態において表紙８、裏表紙１３、および背表紙１２はブック形状をなし、さらに、表紙８と裏表紙１３、特に裏表紙１３はトレイ３貼り付け用の大面積部５から劈開可能であるために、図５（ｂ）において鎖線で示すように、ブックカバー１０を被せることができる。したがってこの従来例においては、予め台紙１に表題等を印刷しておく必要がなくなるという利点を有するものの、反面、５面の大面積部５、５・・を要するために、パッケージング容器当たりの台紙１の使用面積が大きくなるという欠点がある。
【０００７】
【発明が解決しようとする課題】
本発明は、以上の欠点を解消すべくなされたものであって、少ない台紙の使用面積と貼り付け面積でブック型のパッキング形状を得ることのできる電子媒体収納用パッケージ構造の提供を目的とする。
【０００８】
【課題を解決するための手段】
本発明によれば上記目的は、
電子媒体２を収容するトレイ３を貼り付けた１枚の台紙１を折り曲げて形成された表紙８によりトレイ３の開放面を閉じる電子媒体収納用パッケージ構造であって、
前記表紙８は台紙１を折り返して重合、接着した２面の表紙形成面５ａ、５ａ’により形成されるとともに、
裏面側の表紙形成面５ａからはトレイ３の側壁に沿う内部背表紙面４ａと、トレイ３を貼り付けるトレイ貼り付け面５ｂとがコ字状に延設され、
かつ、表面側の表紙形成面５ａ’からは前記内部背表紙面４ａに沿う外部背表紙面４ｂと、トレイ貼り付け面５ｂに沿う裏表紙面５ｃが延設され、
前記内部背表紙面４ａと外部背表紙面４ｂが接着されない電子媒体収納用パッケージ構造を提供することにより達成される。
【０００９】
本発明の電子媒体収納用パッケージ構造を備えた電子媒体収納用パッケージング容器は１枚の台紙１に電子媒体２を収容するためのトレイ３を貼り付けて形成される。台紙１は、例えば、４面の大面積部５と２面の小面積部４を折り目６を介して区画して形成され、大面積部５、それに隣接する小面積部４、およびこの小面積部４に隣接する他の大面積部５から構成される表紙構成部７の２対が台紙１の中心線Ｃに対して対称位置に配置される。この結果、台紙１は展開形状において大面積部５-小面積部４-大面積部５-大面積部５-小面積部４-大面積部５の順に並べられた矩形形状をなし、各面積部４、５間に折り目６が形成される。
【００１０】
大面積部５はブック型パッケージ構造の表紙８の面積に、小面積部４は背表紙の面積にほぼ等しく、トレイ３は最端部の大面積部５に貼り付けられる。
【００１１】
したがってこのパッケージング容器によれば、まず、トレイ３を貼り付けた大面積部５（トレイ貼り付け面５ｂ）に隣接する小面積部４を折り曲げて内部背表紙面４ａとした後、さらに内部背表紙面４ａに隣接する大面積部５（内部表紙形成面５ａ）を折り曲げ、この後、内部表紙形成面５ａに隣接する大面積部５（外部表紙形成面５ａ’）を折り返して内部表紙形成面５ａに接着して表紙８を形成する。次いで、外部表紙形成面５ａ’に連続する小面積部４（外部背表紙面４ｂ）、さらに外部背表紙面４ｂに隣接する大面積部５（裏表紙面５ｃ）が折り曲げられる。
【００１２】
この状態でトレイ貼り付け面５ｂ、内部背表紙面４ａ、および内部表紙形成面５ａはコ字形状をなし、これに連続する外部表紙形成面５ａ’、外部背表紙面４ｂ、および裏表紙面５ｃは上記トレイ貼り付け面５ｂ等に沿うようにコ字形状をなしており、この後、トレイ３に電子媒体２を収納し、適宜のカバー体９により封止すると、全体としてブック型形状をなすパッケージ構造を完成させることができる。
【００１３】
以上のパッケージ構造を構成するためのパッケージング容器の台紙１は、図５に示す従来例に比して１面少ない４面の大面積部５から構成されるために、台紙１の面積を小さくすることができる。また、図５に示す従来例においては、接着箇所が２カ所であるのに対し、本発明おけるパッケージ構造は１カ所の接着箇所を有するのみであり、組立作業性も向上する。
【００１４】
また、本発明によるパッケージ構造によれば、内部背表紙面４ａと外部背表紙面４ｂを接着しないことにより、内部表紙形成面５ａに連続する内部背表紙面４ａと、外部表紙形成面５ａ’に連続する外部背表紙面４ｂは相対移動自在となるために、表紙８を開ける際の引っかかりがなくなり、表紙８の開閉操作感が向上する。
【００１５】
さらに、本発明によるパッケージ構造において、電子媒体２をトレイ３に圧入したり、あるいはトレイ３に電子媒体２の辺縁に弾発係止する係止部等を形成することにより、トレイ３に電子媒体２の脱離防止の手段を施したり、さらには、パッケージ全体をシュリンクパック等により封止してトレイ３からの電子媒体２の脱離を防止することも可能であるが、このほかに、トレイ３の開放面をカバー体９により閉塞してトレイ３からの電子媒体２の脱落を防止することもできる。電子媒体２がプログラムを収納したＣＤ-ＲＯＭ等である場合には、上記カバー体９に開封契約文を印刷して適宜の封緘手段で封緘することができる。
【００１６】
加えて、本発明によるパッケージ構造は、表紙８、および裏表紙面５ｃがトレイ貼り付け面５ｂから劈開可能なブック型形状をなしているために、表紙８、および裏表紙面５ｃに端部を係止させるようにしてブックカバー１０を装着することができる。このため、無印刷の台紙１に電子媒体２の表題等を印刷したブックカバー１０を装着することが可能であり、多品種少量の電子媒体２をパッケージする場合においても、厚紙で形成される台紙１に比して紙厚が薄く、印刷コストが低廉なブックカバー１０だけを電子媒体２に合わせて予め製造しておくことが可能となり、パッケージコストが低減する。
【００２０】
【発明の実施の形態】
図１ないし３に電子媒体２としてのＣＤ−ＲＯＭを包装するためのパッケージング容器を示す。パッケージ容器は、１枚の細長矩形状の台紙１に合成樹脂材により成型されたトレイ３を貼り付けて構成され、トレイ３には、ケース２ａ内に封止したＣＤ−ＲＯＭ２を収容するために表面に開放された収納凹部３ａが形成される。収納凹部３ａの側壁面には収納凹部３ａ内に圧入されたＣＤ−ＲＯＭ２を取り出すための指掛け凹部３ｂが形成される。
【００２１】
台紙１は厚紙により形成され、台紙１上にはトレイ３を貼り付けるに十分な面積を有する４面の大面積部５と、トレイ３の高さよりやや長い幅寸法Ｗを有する２面の小面積部４が折り目６を介して区画される。折り目６には図示の状態で紙面側に折り曲げる谷折り目と、背面側に折り曲げる山折り目があり、図３（ａ）において谷折り目は破線で、山折り目は鎖線で示す。
【００２２】
台紙１上には中心線Ｃを境に左右に２対の表紙構成部７が配置され、各表紙構成部７は端部から中心に向けて大面積部５、小面積部４、大面積部５の順に配列される。この結果、大小面積部４の配列は中心線Ｃに対して対称とされており、いずれか一方の表紙構成部７の最端（材端）側の大面積部５にトレイ３が貼り付けられる。
【００２３】
図２に上記パッケージング容器の使用状態を示す。まず、トレイ３が貼り付けられる大面積部５（トレイ貼り付け面５ｂ）と、これに連続する小面積部４、および大面積部５をコ字形状に折り曲げて各々、内部背表紙面４ａ、および内部表紙形成面５ａとする。内部表紙形成面５ａはトレイ３の開口面に対応し、その端部に連続する大面積部５を折り返して内部表紙形成面５ａに外部表紙形成面５ａ’を重ならせてこれらを糊付け等により接着して表紙８を形成する。次いで、外部表紙形成面５ａ’に連続する外部背表紙面４ｂを内部背表紙面４ａに沿わせるように折り曲げ、最後に裏表紙面５ｃを折り曲げてトレイ貼り付け面５ｂに対応させる。
【００２４】
以上のようにして形成されたパッケージング容器のトレイ３にはＣＤ−ＲＯＭ２が収納された後、カバー体９を被せてトレイ３の開放面が閉塞される。図３（ｂ）に示すように、カバー体９はトレイ３の収納凹部３ａとほぼ同じ大きさに形成されており、収納凹部３ａにはめ込むようにして載置することにより、簡単にトレイ３の開放面を閉塞できる。また、カバー体９には開封契約条項が印刷されており、封緘シール１４により封緘される。
【００２５】
上記台紙１は白地（無印刷状態）とされており、パッケージング容器とは別途にブックカバー１０が用意される。ブックカバー１０には、ＣＤ−ＲＯＭ２のコンテンツ、あるいは表題が予め印刷されており、図２に示すように、折り曲げ部１０ａから両端を表紙８、および裏表紙面５ｃの裏面側に折り込むことにより台紙１に装着される。
【００２６】
したがってこの実施の形態において、上述したように白地の台紙１にトレイ３を貼り付けたパッケージングケースを予め用意しておき、新しい種類のＣＤ−ＲＯＭ２を発行する場合には、内容に応じた印刷がされたブックカバー１０を装着すればよいために、印刷済みの台紙１を予め用意する必要がなくなり、多品種少量生産時のパッケージコストを低減させることができる。また、パッケージはブック型をしているために、使用後のＣＤ−ＲＯＭ２をトレイ３に収納した状態で書籍として本棚等に保管することができるために、使い勝手を良好にできる。
【００２７】
さらに、上記パッケージ全体をシュリンクパック等により再度覆って販売に供することも可能であるが、全体にシュリンクパック等を施すことなく販売に供することも可能であり、この場合には、図２において鎖線で示すように、表紙８裏面、あるいは裏表紙面５ｃ裏面に小冊子状に製本した取扱説明書１５等を貼り付けておくと、購入者がＣＤ−ＲＯＭ２の内容をより正確に知ることができる。
【００２８】
なお、以上の説明においては、パッケージ対象物１６としてＣＤ−ＲＯＭ２を収容する場合を示したが、このほかに適宜の物を収容するために使用することができ、この場合には、図３に示すように、台紙１の最左端面を収容固定部１８として折れ線１９により区画し、その右側に折れ線１９を介して、第１の背表紙部２０、第１の表紙部２１、第２の表紙部２２、第２の背表紙部２３、裏表紙部２４を順に配置すればよく、これらを上述したと同様の方法で折り曲げることにより、第１の背表紙部２０が内部背表紙面４ａに、第１の表紙部２１が内部表紙形成面５ａに、第２の表紙部２２が外部表紙形成面５ａに、第２の背表紙部２３が外部背表紙面４ｂとなる。
【００２９】
【発明の効果】
以上の説明から明らかなように、本発明によれば、少ない台紙面積と貼り付け面積でブック型のパッケージ構造を得ることができる。
【００３０】
このように、台紙面積が小さくなるため、紙の使用量が少なくなりパッケージのコストを低減することができる。また、その台紙に折り目を入れるための作業が簡易となる上に、その作業のための人的コストを低減することができる。
【００３１】
さらに、貼り付け面積が少なくなるため、糊の使用量が少なくなり、パッケージのコストを低減することができるとともに、その貼り付け作業のための人的コストを低減することができる。
【図面の簡単な説明】
【図１】本発明を示す分解斜視図である。
【図２】電子媒体を収容した状態における図１の断面図である。
【図３】台紙とカバー体を示す図で、（ａ）は台紙の展開図、（ｂ）はカバー体の平面図である。
【図４】従来例を示す図で、（ａ）は斜視図、（ｂ）は断面図である。
【図５】他の従来例を示す図で、（ａ）は斜視図、（ｂ）は断面図である。
【符号の説明】
１          台紙
２          電子媒体
３          トレイ
４          小面積部
４ａ        内部背表紙面
４ｂ        外部背表紙面
５          大面積部
５ａ、５ａ’        表紙形成面
５ｂ        トレイ貼り付け面
５ｃ        裏表紙面
６          折り目
７          表紙構成部
８          表紙
９          カバー体
１０        ブックカバー折り曲げ部
１０ａ            折り曲げ部
１６        パッケージ対象物
１７        収容部
１８        収容部固定部
１９        折れ線
２０        第１の背表紙部
２１        第１の表紙部
２２        第２の表紙部
２３        第２の背表紙部
２４        裏表紙部
Ｃ          中心線
【図１】
0003620980.tif 000002
【図２】
0003620980.tif 000003
【図３】
0003620980.tif 000004
【図４】
0003620980.tif 000005
【図５】
0003620980.tif 000006